(57)【要約】  本発明は、端末の身元認識システムであって、前記端末の予め設定された範囲内にいるユーザに対応する予め格納された生体特徴情報を取得する取得装置と、取得された予め格納された生体特徴情報を維持する生体特徴ライブラリと、前記ユーザの第１生体特徴情報を収集する収集装置と、前記生体特徴ライブラリから前記第１生体特徴情報を認識し、認識結果に基づいて、前記端末の一つ又は複数の機能又は部材のオン又はオフを決定する認識装置と、を含む身元認識システムを提供する。本発明は、身元認識方法、コンピュータ記憶媒体及び端末をさらに提供する。【選択図】図１
2021518017.tif 000002
【特許請求の範囲】
【請求項１】
端末の身元認識システムであって、
前記端末の予め設定された範囲内にいるユーザに対応する予め格納された生体特徴情報を取得する取得装置と、
取得された予め格納された生体特徴情報を維持する生体特徴ライブラリと、
前記ユーザの第１生体特徴情報を収集する収集装置と、
前記生体特徴ライブラリから前記第１生体特徴情報を認識し、認識結果に基づいて、前記端末の一つ又は複数の機能又は部材のオン又はオフを決定する認識装置と、
を含むことを特徴とする身元認識システム。
【請求項２】
前記取得装置は、前記端末と前記ユーザのスマートデバイスがブルートゥースで接続されている場合に、当該ユーザの予め格納された生体特徴情報を取得して前記生体特徴ライブラリに伝送するように構成されている
ことを特徴とする請求項１に記載の身元認識システム。
【請求項３】
前記生体特徴ライブラリは、前記端末と前記ユーザのスマートデバイスとの間のブルートゥース接続が切断された場合に、前記生体特徴ライブラリから前記予め格納された生体特徴情報を削除するように構成されている
ことを特徴とする請求項２に記載の身元認識システム。
【請求項４】
前記取得装置は、
前記ユーザのスマートデバイスの緯度と経度の情報に基づいて、前記ユーザが前記端末の予め設定された範囲内にいるかを判断し、
前記予め格納された生体特徴情報を取得して、前記生物特徴ライブラリに伝送するように構成されている
ことを特徴とする請求項１に記載の身元認識システム。
【請求項５】
前記収集装置は、前記ユーザの顔画像を収集する一又は複数のカメラである
ことを特徴とする請求項１に記載の身元認識システム。
【請求項６】
前記収集装置は、前記ユーザの指上の静脈生体特徴画像を収集する静脈採取器である
ことを特徴とする請求項１に記載の身元認識システム。
【請求項７】
前記ユーザが前記端末を通過しようとすると判断する判断装置
をさらに含むことを特徴とする請求項１に記載の身元認識システム。
【請求項８】
前記判断装置は、前記ユーザのジェスチャに基づいてユーザが前記端末を通過しようとすると判断するジェスチャセンサである
ことを特徴とする請求項７に記載の身元認識システム。
【請求項９】
前記認識装置は、前記生体特徴ライブラリから前記第１生体特徴情報を認識した結果に基づいて、前記判断装置のオン又はオフを決定するように構成されている
ことを特徴とする請求項７又は８に記載の身元認識システム。
【請求項１０】
前記生体特徴ライブラリから前記第１生体特徴情報が認識された場合、認識されたユーザの減感情報を提示する認識結果提示装置
をさらに含むことを特徴とする請求項１に記載の身元認識システム。
【請求項１１】
端末の身元認識方法であって、
前記端末の予め設定された範囲内にいるユーザに対応する予め格納された生体特徴情報を取得するステップと、
取得された予め格納された生体特徴情報を維持して、生体特徴集合を形成するステップと、
前記ユーザの第１生体特徴情報を収集するステップと、
前記生体特徴集合から前記第１生体特徴情報を認識するステップと、
認識結果に基づいて、前記端末の一つ又は複数の機能又は部材のオン又はオフを決定するステップと、
を含むことを特徴とする身元認識方法。
【請求項１２】
前記取得ステップは、
前記端末と前記ユーザのスマートデバイスがブルートゥースで接続されている場合に、当該ユーザの予め格納された生体特徴情報を取得するステップ
を含むことを特徴とする請求項１１に記載の身元認識方法。
【請求項１３】
前記維持ステップは、
前記端末と前記ユーザのスマートデバイスがブルートゥースで接続されている場合に、取得された予め格納された生体特徴情報を前記生体特徴集合に追加するステップと、
前記端末と前記ユーザのスマートデバイスとの間のブルートゥース接続が切断された場合に、前記生体特徴集合から前記予め格納された生体特徴情報を削除するステップと、
を含むことを特徴とする請求項１２に記載の身元認識方法。
【請求項１４】
前記取得ステップは、
前記ユーザのスマートデバイスの緯度と経度の情報に基づいて、前記ユーザが前記端末の予め設定された範囲内にいるかを判定判断するステップと、
前記予め格納された生体特徴情報を取得するステップと、
を含むことを特徴とする請求項１１に記載の身元認識方法。
【請求項１５】
前記収集ステップは、
一つ又は複数のカメラによって、前記ユーザの顔画像を収集するステップ
を含むことを特徴とする請求項１１に記載の身元認識方法。
【請求項１６】
前記収集ステップは、
静脈採取器によって、前記ユーザの指上の静脈生体特徴画像を収集するステップ
を含むことを特徴とする請求項１１に記載の身元認識方法。
【請求項１７】
前記ユーザが前記端末を通過しようとすると判断するステップ
をさらに含むことを特徴とする請求項１に記載の身元認識方法。
【請求項１８】
前記判断ステップは、
ジェスチャセンサによって、前記ユーザのジェスチャに基づいてユーザが前記端末を通過しようとすると判断するステップ
を含むことを特徴とする請求項１７に記載の身元認識方法。
【請求項１９】
認識結果に基づいて、前記端末の一つ又は複数の機能又は部材のオン又はオフを決定するステップは、
前記生体特徴集合から前記第１生体特徴情報を認識した結果に基づいて、前記判断ステップを実行するか否かを決定するステップ
を含むことを特徴とする請求項１７又は１８に記載の身元認識方法。
【請求項２０】
前記生体特徴集合から前記第１生体特徴情報が認識された場合、認識されたユーザの減感情報を提示するステップ
をさらに含むことを特徴とする請求項１１に記載の身元認識方法。
【請求項２１】
請求項１乃至１０のいずれか一項に記載の身元認識システム
を含むことを特徴とする端末。
【請求項２２】
動作時に請求項１１乃至２０のいずれか一項に記載の身元認識方法を実行する命令
を含むことを特徴とするコンピュータ記憶媒体。
【発明の詳細な説明】
【技術分野】
【０００１】
本発明は、身元認識技術に関し、特に、身元認識システム及び方法、端末、並びにコンピュータ記憶媒体に関する。
【背景技術】
【０００２】
現在、身元認識技術は、飛躍的に発展しており、例えば、決済、公共のセキュリティなどの金融アプリケーションの分野で必要とする認識の精度と効率の基準を満たすことができるレベルに達している。例えば、中国のアリペイ（Ａｌｉｐａｙ）は顔認識による決済サービスを提供しており、中国農業銀行は顔認識による現金取引サービスなどを提供している。
【０００３】
例えば、顔認識は、技術案的な側面から認識範囲の数によって、一般的業界では１：１と１：Ｎの２つのタイプに分けられている。１：１は、認識の過程において、サンプル画像中の顔情報がすでに確保された状態あり、認識された画像と既存の確保されたサンプルの顔写真とを照合して、写真中の人が同じ顔であるか否かを判断することを指す。１：Ｎは、認識の過程において、、顔のサンプルライブラリが既に確保された状態であり、ライブラリには、Ｎ個のサンプル写真があり、認識された顔写真とライブラリのサンプルを照合して、顔写真がライブラリ中の特定のサンプルに属しているかを認識することを指す。
【０００４】
異なる状況よって、利用される技術案が異なり、最近現れた顔認識による決済体験店では、ユーザが、携帯電話番号の登録のような付加情報の入力を行って、顔認識を補助認証手段として１：１認証を実現することが多い。しかし、このようにすると、ユーザの別途の情報入力インタラクションを必要とし、認識プロセスが増加する欠点がある。地下鉄の出入口の場合、一般的に顔認識の技術が適用されず、交通カード、クイックペイ（Ｑｕｉｃｋ  Ｐａｙｍｅｎｔ）、コードスキャンなどの形式のものが多く採用されている。
【０００５】
以上、本発明の背景技術部分に開示されている情報は、本発明の全体的な背景についての理解を容易にするためのものであって、当業者に、この情報が周知の先行技術を構成しているということを認めたり、何らかの形で暗示するものだと見なされてはならない。
【発明の概要】
【発明が解決しようとする課題】
【０００６】
本発明は、改善された身元認識システム及び方法、端末、並びにコンピュータ記憶媒体を提供することを目的とする。
【課題を解決するための手段】
【０００７】
本発明の一態様によれば、端末の身元認識システムであって、前記端末の予め設定された範囲内にいるユーザに対応する予め格納された生体特徴情報を取得する取得装置と、取得された予め格納された生体特徴情報を維持する生体特徴ライブラリと、前記ユーザの第１生体特徴情報を収集する収集装置と、前記生体特徴ライブラリから前記第１生体特徴情報を認識し、認識結果に基づいて、前記端末の一つ又は複数の機能又は部材のオン又はオフを決定する認識装置と、を含む身元認識システムが提供されている。
【０００８】
好ましくは、上記の身元認識システムにおいて、前記取得装置は、前記端末と前記ユーザのスマートデバイスがブルートゥースで接続されている場合に、当該ユーザの予め格納された生体特徴情報を取得して前記生体特徴ライブラリに伝送するように構成されている。
【０００９】
好ましくは、上記の身元認識システムにおいて、前記生体特徴ライブラリは、前記端末と前記ユーザのスマートデバイスとの間のブルートゥース接続が切断された場合に、前記生体特徴ライブラリから前記予め格納された生体特徴情報を削除するように構成されている。
【００１０】
好ましくは、上記の身元認識システムにおいて、前記取得装置は、前記ユーザのスマートデバイスの緯度と経度の情報に基づいて、前記ユーザが前記端末の予め設定された範囲内にいるかを判断し、前記予め格納された生体特徴情報を取得して、前記生物特徴ライブラリに伝送するように構成されている。
【００１１】
好ましくは、上記の身元認識システムにおいて、前記収集装置は、前記ユーザの顔画像を収集する一又は複数のカメラである。
【００１２】
好ましくは、上記の身元認識システムにおいて、前記収集装置は、前記ユーザの指上の静脈生体特徴画像を収集する静脈採取器である。
【００１３】
好ましくは、上記の身元認識システムは、前記ユーザが前記端末を通過しようとすると判断する判断装置をさらに含む。
【００１４】
好ましくは、上記の身元認識システムにおいて、前記判断装置は、前記ユーザのジェスチャに基づてユーザが前記端末を通過しようとすると判断するジェスチャセンサである。
【００１５】
好ましくは、上記の身元認識システムにおいて、前記認識装置は、前記生体特徴ライブラリから前記第１生体特徴情報を認識した結果に基づいて、前記判断装置のオン又はオフを決定するように構成されている。
【００１６】
好ましくは、上記の身元認識システムは、前記生体特徴ライブラリから前記第１生体特徴情報が認識された場合、認識されたユーザの減感情報を提示する認識結果提示装置をさらに含む。
【００１７】
本発明の別の態様によれば、端末の身元認識方法であって、前記端末の予め設定された範囲内にいるユーザに対応する予め格納された生体特徴情報を取得するステップと、取得された予め格納された生体特徴情報を維持して、生体特徴集合を形成するステップと、前記ユーザの第１生体特徴情報を収集するステップと、前記生体特徴集合から前記第１生体特徴情報を認識するステップと、認識結果に基づいて、前記端末の一つ又は複数の機能又は部材のオン又はオフを決定するステップと、を含む身元認識方法が提供されている。
【００１８】
好ましくは、上記の身元認識方法において、前記取得ステップは、前記端末と前記ユーザのスマートデバイスがブルートゥースで接続されている場合に、当該ユーザの予め格納された生体特徴情報を取得するステップを含む。
【００１９】
好ましくは、上記の身元認識方法において、前記維持ステップは、前記端末と前記ユーザのスマートデバイスがブルートゥースで接続されている場合に、取得された予め格納された生体特徴情報を前記生体特徴集合に追加するステップと、前記端末と前記ユーザのスマートデバイスとの間のブルートゥース接続が切断された場合に、前記生体特徴集合から前記予め格納された生体特徴情報を削除するステップと、を含む。
【００２０】
好ましくは、上記の身元認識方法において、前記取得ステップは、前記ユーザのスマートデバイスの緯度と経度の情報に基づいて、前記ユーザが前記端末の予め設定された範囲内にいるかを判断するステップと、前記予め格納された生体特徴情報を取得するステップと、を含む。
【００２１】
好ましくは、上記身元認識方法において、前記収集ステップは、一つ又は複数のカメラによって、前記ユーザの顔画像を収集するステップを含む。
【００２２】
好ましくは、上記の身元認識方法において、前記収集ステップは、静脈採取器によって、前記ユーザの指上の静脈生体特徴画像を収集するステップを含む。
【００２３】
好ましくは、上記の身元認識方法は、前記ユーザが前記端末を通過しようとすると判断するステップをさらに含む。
【００２４】
好ましくは、上記の身元認識方法において、前記判断ステップは、ジェスチャセンサによって、前記ユーザのジェスチャに基づてユーザが前記端末を通過しようとすると判断するステップを含む。
【００２５】
好ましくは、上記の身元認識方法において、認識結果に基づいて、前記端末の一つ又は複数の機能又は部材のオン又はオフを決定するステップは、前記生体特徴集合から前記第１生体特徴情報を認識した結果に基づいて、前記判断ステップを実行するか否かを決定するステップを含む。
【００２６】
好ましくは、上記の身元認識方法は、前記生体特徴集合から前記第１生体特徴情報が認識された場合、認識されたユーザの減感情報を提示するステップをさらに含む。
【００２７】
本発明のまた別の態様によれば、上記の身元認識システムを含む端末が提供されている。
【００２８】
本発明のまた別の態様によれば、動作時に上記の身元認識方法を実行する命令を含むコンピュータ記憶媒体が提供されている。
【発明の効果】
【００２９】
本発明の一又は複数の実施例は、生体認識技術を端末に適用して、認識の精度を確保するために、生体認識の検索範囲を動的に維持する策略を提案する。例えば、本発明の一実施例において、端末の予め設定された範囲内にいるユーザの予め格納された生体特徴情報のみを取得して、さらに生体特徴集合を取得している。これによって、後続の収集照合時に、照合待ちのサンプルライブラリ（即ち、生体特徴集合）の大きさを制限して、生体認識の精度を確保することができる。
【００３０】
本発明の方法及び装置が有するその他の特徴及び利点は、本明細書に含まれている添付の図面及び本発明の特定の原理を説明するための添付の図面と組み合わせて使用される具体的な実施形態によって、より具体的で明らかになり、詳細に説明される。
【図面の簡単な説明】
【００３１】
【図１】本発明の一実施例に係る身元認識システムの構成を示す模式図である。
【図２】本発明の一実施例に係る身元認識方法を示すフローチャートである。
【図３】本発明の実施例に係る身元認識システムの応用場面図を示す。
【図４】本発明の実施例に係る身元認識システムの応用場面図を示す。
【図５】本発明の実施例に係る身元認識システムの応用場面図を示す。
【発明を実施するための形態】
【００３２】
以下、本発明の特定の実施形態を説明することにより、当業者に本発明をどのように製造して使用するかを教示する最適な形態を提示する。発明の原理を教示するために、通常のいくつかの側面は簡略化又は省略されている。当業者であれば、これらの実施形態に由来する変形が本発明の範囲内に属されていることを理解すべきである。当業者であれば、下記の特徴が様々な形で結合されて本発明の様々な変形例を形成することを理解すべきである。よって、本発明は、下記の特定の実施形態に限定されるものではなく、特許請求の範囲及びそれらの同等物によってのみ限定されるものである。
【００３３】
図１は、本発明の一実施例に係る身元認識システムの構造を示す概略図である。図１に示すように、当該身元認識システム１０００は、取得装置１１０と、生体特徴ライブラリ１２０と、収集装置１３０と、認識装置１４０と、を含み得る。
【００３４】
具体的には、取得装置１１０は、ユーザに対応する予め格納された生体特徴情報を取得するように構成され、前記ユーザは、端末の予め設定された範囲内にいる。一実施例において、取得装置１１０は、ブルートゥース技術を用いて、予め設定された範囲内にいるユーザの生体特徴情報を取得するように構成されている。例えば、取得装置１１０は、端末とユーザのスマートデバイスがブルートゥースで接続されている場合に、当該ユーザの予め格納された生体特徴情報を取得して、生体特徴ライブラリ１２０に伝送するように構成されていてもよい。取得装置１１０は、当該端末とユーザのスマートデバイスとの間のブルートゥース接続が切断された場合に、生体特徴ライブラリ１２０から予め格納された生体特徴情報を削除するように構成されていてもよい。オプションで、取得装置１１０は、他の技術によって、予め設定された範囲内にいるユーザの予め格納された生体特徴情報を取得してもよい。例えば、取得装置１１０は、ユーザのスマートデバイスの緯度と経度の情報に基づいて、ユーザが端末の予め設定された範囲内にいると判断し、さらに当該ユーザの予め格納された生体特徴情報を取得して、生体特徴ライブラリ１２０に伝送するように構成されていてもよい。
【００３５】
生体特徴ライブラリ１２０は、取得された予め格納された生体特徴情報を維持するようい構成される。生体認識技術（例えば、顔認識技術）において、ユーザのインタラクションを低減するために、１：Ｎの方式を採用することができ、例えば、カメラで収集された顔写真と顔画像ライブラリとを照合して検索する。しかし、現在の技術の限界により、ライブラリ内のサンプルデータの数Ｎが大きいと、認識結果の精度が著しく低下してしまう。そこで、本発明の好ましい一実施例において、生体特徴ライブラリ１２０は、生体認識時の検索範囲を動的に維持し、例えば、端末の予め設定された範囲内にいるユーザの予め格納された生体特徴情報のみを維持することにより、照合待ちのサンプルライブラリ（生体特徴集合とも呼ばれる）の大きさを制限し、生体認識の精度を確保する。
【００３６】
収集装置１３０は、前記ユーザの第１生体特徴情報を収集するように構成されている。一実施例において、前記収集装置１３０は、ユーザの顔画像を収集するように構成されている一つ又は複数のカメラである。別の実施例において、前記収集装置１３０は、ユーザの指上の静脈生体特徴画像を収集するように構成されている静脈採取器である。
【００３７】
認識装置１４０は、生体特徴ライブラリ１２０から第１生体特徴情報を認識し、認識結果に基づいて前記端末の一つ又は複数の機能又は部材のオン又はオフを決定するように構成されている。
【００３８】
図１には示されていないが、身元認識システム１０００は、前記ユーザが端末を通過しようとすると判断するように構成されている判断装置をさらに備えていてもよい。一実施例において、前記判断装置は、、前記ユーザのジェスチャに応じて、ユーザが前記端末を通過しようとすると判断するように構成されているジェスチャセンサである。一実施例において、認識装置１４０は、生体特徴ライブラリ１２０から第１生体特徴情報を認識した結果に基づいて、判断装置のオン又はオフを決定するように構成されている。
【００３９】
一実施例において、上記の身元認識システム１０００は、前記生体特徴ライブラリから前記第１生体特徴情報が認識された場合に、認識されたユーザの減感情報を提示するように構成されている認識結果提示装置をさらに備えてもよい。
【００４０】
図２は、本発明の一実施例に係る身元認識方法を示すフローチャートである。図２に示すように、身元認識方法２０００は、端末の予め設定された範囲内にいるユーザに対応する予め格納された生体特徴情報を取得するステップ２１０と、取得された予め格納された生体特徴情報を維持して、生体特徴集合を形成するステップ２２０と、前記ユーザの第１生体特徴情報を取得するステップ２３０と、前記生体特徴集合から前記第１生体特徴情報を認識するステップ２４０と、認識結果に基づいて、前記端末の一つ又は複数の機能又は部材のオン又はオフを決定するステップ２５０と、を含む。
【００４１】
一実施例において、ステップ２１０は、ブルートゥース技術を用いて、ユーザが端末の予め設定されたの範囲内にいることを判断することができる。例えば、ステップ２１０は、前記端末と前記ユーザのスマートデバイスがブルートゥースで接続されている場合に、当該ユーザの予め格納された生体特徴情報を取得するステップを含んでもよい。ステップ２１０は、前記端末と前記ユーザのスマートデバイスがブルートゥースで接続されている場合に、取得された予め格納された生体特徴情報を前記生体特徴集合に追加するステップと、前記端末と前記ユーザのスマートデバイスとの間のブルートゥース接続が切断された場合に、前記生体特徴集合から前記予め格納された生体特徴情報を削除するステップと、を含んでもよい。
【００４２】
別の実施例において、ステップ２１０は、緯度と経度の情報を用いて、ユーザが端末の予め設定された範囲内にいることを判断する。例えば、当該実施例において、ステップ２１０は、前記ユーザのスマートデバイスの緯度と経度の情報に基づいて、前記ユーザが前記端末の予め設定された範囲内にいると判断するステップと、前記予め格納された生体特徴情報を取得するステップと、を含む。
【００４３】
ステップ２３０において、ユーザの異なる生体特徴情報を収集することができる。例えば、一実施例において、ステップ２３０は、一又は複数のカメラで前記ユーザの顔画像を取得することを含む。別の実施例において、ステップ２３０は、静脈採取器によって、前記ユーザの指上の静脈生体特徴画像を取得することを含む。
【００４４】
図２には示されていないが、一実施例において、上記の身元認識方法２０００は、前記ユーザが前記端末を通過しようとすると判断するステップをさらに含む。前記判断ステップは、例えば、ジェスチャセンサによって実現できる。即ち、前記ユーザのジェスチャに基づいてユーザが前記端末を通過しようとすると判断することができる。例えば、ジェスチャセンサは、ユーザの手振り動作を検知して、さらにユーザが主観的な入場意思を現していると判断し、これによって誤開扉の操作を避けることができる。
【００４５】
一実施例において、上記ステップ２５０は、前記生体特徴情報集合から前記第１生体特徴情報を認識した結果に基づいて、前記判断ステップを実行するか否かを決定することを含んでもよい。
【００４６】
一実施例において、上記の身元認識方法２０００は、前記生体特徴集合から前記第１生体特徴情報が認識された場合に、認識されたユーザの減感情報を提示するステップをさらに含む。
【００４７】
図３乃至図５は、本発明の実施例に係る身元認識システムの応用場面図を示す。なお、図３乃至図５の実施例において、取得装置は、顔情報を捕捉するように構成され、収集装置は、一又は複数のカメラである。当業者であれば、これらの実施例は模式的なものであり、本発明はこれらの具体的な実施例に限定されるものではなく、より多くの実施例又は多くの場面に適用可能であることを容易に理解することができる。例えば、取得装置は、静脈画像情報などの他の生体特徴情報を捕捉するものであってもよく、これに応じて、収集装置は、カメラではなく、静脈画像採取器であってもよい。
【００４８】
図３に示すように、端末（例えば、地下鉄のゲート）の入口には、一つ又は複数の顔認識カメラを取り付けて、人の顔をキャプチャし、追跡し、顔認識を行うことができる。カメラのカバー範囲は、ゲートの前の一定の距離（ゲートを含む）で、例えば３〜４メートルであってもよく、実際の状況に応じて複数台のカメラを配置して、顔認識のカバー領域を確保することができる。カメラの数、位置、タイプは、実際の状況に応じて調整することができる。
【００４９】
ゲート入口の目立つ場所に、現在のシステムにより認識された減感のユーザ身元情報を表示するための顔認識結果提示器を配置してもよい。提示器の形態は固定されておらず、液晶ディスプレイ、ＬＥＤ等の提示装置を含むがこれらに限定されるものではなく、同時に音声提示機能を有してもよく、ヒューマナイズされたサービス方式により、ユーザに穏やかな外出体験を提供することができる。
【００５０】
一実施例において、端末にユーザのジェスチャを検知する装置が取り付けられている。ジェスチャセンサの物理的な形態は固定されておらず、ユーザの手振りによる遮断動作を検知する赤外線検知装置や他の形式のデバイスを設置することができ、その役割は次のとおりである。
【００５１】
（１）身元認識状態を提示する。システムは、現在のユーザの顔認識結果に基づいて異なる状態（例えば、ランプの色を変更）を表示し、ユーザがゲート入口に到着した時に、顔認識が完了していれば、手振りによるドア開けを完了することができ、顔認識が完了していなければ、手振りによるドア開けを無効にする。
【００５２】
（２）手振によってドアを開ける。顔認識が成功した後、ユーザは、ゲート入口の前で、元の交通カードを振る動作の代わりに、手で光検出装置を遮って、システムでゲートを開けて通行することができる。ユーザジェスチャセンサを設置する理由は、ユーザの手振り動作によって主観的な入場意思を表現するようにすることで、非乗車ユーザがカメラの前に現れて誤開扉の操作が作動されることを避けるためである。
【００５３】
前述したように、認識結果の精度を確保するためには、顔検索ライブラリの数Ｎを一定の範囲内に制御する必要がある。一実施例において、例えば、地下鉄駅の場合、デバイスのブルートゥース通信検証の方法により、認識範囲は、全ての登録ユーザではなく、現在の地下鉄駅に現れたユーザグループに動的に制御する。具体的な方法は、以下の通りである。ユーザが、登録する時に、一枚の顔写真を提出し、一枚の銀行カードをバインディングする以外にも、システムは、同時に登録デバイスのブルートゥースｍａｃ情報を収集して、顔情報とデバイスとをバインディングする。乗車人は、駅に入る前に携帯電話のブルートゥースをオンにすると、地下鉄のゲートとユーザの携帯電話がブルートゥースで接続され、ｍａｃと顔情報のバインディング関係によって、当該デバイスに対応する顔情報を動的顔認識ライブラリに追加する。乗車人がゲートから離れ、ブルートゥース接続が切断されると、当該デバイスに対応する顔情報を動的顔認識ライブラリから削除する。このように、顔検索の範囲を、全ての登録ユーザではなく、現在の地下鉄駅で入場待ちの人数に動的に縮小させることで、顔認識の精度を確保する。
【００５４】
好ましい一実施例において、ユーザは、登録により、身元情報を銀行カードやデバイスとバインディングして、システムが便利なサービスを提供できるようにする。登録により、システムは、以下のような情報を収集する。
【００５５】
（１）デバイスのブルートゥース情報
ユーザの使用過程において、システムは、Ｍａｃのようなデバイスのブルートゥース情報を自動的に収集し、当該ブルートゥース情報は、一台のデバイスを唯一に認識することができ、顔認識の範囲を縮小させる後続の過程で重要な役割を果たす。
【００５６】
（２）ユーザの身元情報
名前、携帯電話番号、身分証番号を含むユーザの身元情報を収集する。登録時に送信された顔写真を検証して、顔認識結果を表示するのに用いられる（減感）。
【００５７】
（３）ユーザの顔情報
即ち、ユーザの顔写真である。検証後にライブラリに保存されて、顔認識の照合サンプルとして用いられる。
【００５８】
（４）銀行カードの情報
カード発行銀行が銀行カードの有効性を検証するために使用される名前、銀行カード番号、銀行に登録された携帯電話番号、ショートメッセージの検証コード等の情報を含む。システムは、ユーザがゲートを出入りした後、認識結果によって当該バインディングカードから料金を差し引く。
【００５９】
具体的には、登録の過程で、まず、デバイスのブルートゥース情報を収集した後、ユーザの身元情報を収集し、さらに顔写真を送信する。システムは、公安システム（ｐｕｂｌｉｃ  ｓｅｃｕｒｉｔｙ  ｓｙｓｔｅｍ）を介してユーザの身元情報と顔写真の情報を検証し、合格後に、引き続きユーザの銀行カード情報を収集する。システムは、銀行カードの要素をカード発行銀行に送信して検証し、合格後に、収集されたデバイスのブルートゥース情報、ユーザの身元情報、顔情報と銀行カードの情報をバインディングする。
【００６０】
ユーザがゲートを出入りするプロセスは、顔認識のタイミングによって、事前認識と即時認識に分けることができる。事前認識とは、ユーザがゲートの前に到着する前に、すでに顔デバイスカメラのキャプチャ範囲に入って、顔認識が開始され、ユーザがゲートに到着した時に、すでに顔認識が完了していることを指す。即時認識とは、ユーザがゲートに到着した時に、顔認識を開始して、ユーザの身元を認識することを指す。カメラの画面に現れるユーザの数に基づいて、顔認識のプロセスは、単一ユーザ認識とマルチユーザ同時認識に分けられ、異なる状況の需要に応じて異なる方案を組み合わせて、異なる実施例を構成してもよい。
【００６１】
図４は、マルチユーザの事前認識の場面概略図である。図４に示すように、全ての乗客が駅に入場する前に端末に近づき、カメラ認識のカバー領域は、ゲートの前の一定の領域であり、当該領域は、顔認識速度と乗客の歩行速度に応じて、一般的に３〜４メートル（具体的な範囲は、駅の状況に応じて調整可能である）に設定する。システムは、ユーザが認識範囲内に入ると、画面に現れる複数の顔をスキャンして、これらの顔に対して顔認識を行い、ユーザがゲートに到着して手振りで入場の意思を明らかにすると、システムは、ゲートの最先頭のユーザの顔を現在の入場者として記録し、課金プロセスに進む。
【００６２】
一実施例において、詳細なプロセスは、以下の通りである。ユーザが駅に入場した後、携帯電話デバイスとゲートとがブルートゥースで接続通信を行い、システムはデバイスのブルートゥースＭａｃ情報を取得する。当該ユーザのデバイス情報は、すでに登録時の顔写真とバインディングされており、対応するサンプルを本駅の顔認識動的ライブラリに追加する。ユーザがゲートに近づき顔認識の領域に入ると、システムは、同時に複数の顔を検出して、顔認識を開始する。ユーザがゲートに到着する過程で認識を完了し、認識結果を出力する。システムは、ゲートに面している領域内の人の顔、その大きさ、座標位置などの要素を計算することにより、複数のユーザのうち、現在のゲートの最先頭の通過しようとするユーザを判断し、提示装置で減感結果の提示を行い、ユーザジェスチャセンサを手振りにより通過が可能な状態に設置して、ユーザに提示する。当該ユーザは、手振りによって、ジェスチャセンサをトリガし、ゲートが開かれて、正常に駅に入場する。同時に、システムは、当該ユーザの駅出入り情報を記録し、移動距離を計算して、登録時にバインディングされた銀行カードから料金を差し引く。ユーザがゲートを通過して、ゲートから徐々に離れる過程で、ブルートゥースは、距離が離れるに従って接続が切断され、ブルートゥース接続が切断されると、システムは、対応するユーザの顔情報を動的認識ライブラリから削除することで、顔認識の範囲を現在の駅内の人の範囲内に制御する。
【００６３】
この実施例において、ユーザは、交通カードや二次元コード等を用いて入場する必要がなく、ユーザから見ると、手振りの動作で元のカード振りやコードスキャンの動作を置き換えたので、認識の過程でユーザが介入する必要がなく、ユーザに「すぐ通過する」というクイックゲート通過の体験を与えることで、混雑・待ちを減らしている。
【００６４】
マルチユーザ事前認識に比べて、単一ユーザ事前認識の実施例では、物理的チャネル上でゲートを通過する人の経路とカメラの位置を制御し、認識の段階で、カメラに現在のゲートを通過する唯一のユーザのみが表示されるよう確保する必要がある。他のプロセスは、マルチユーザ事前認識と同じであるため、説明を省略する。
【００６５】
単一ユーザ事前認識の実施例は、認識待ちの時間を節約できるが、物理的に単一ユーザが経路を通過するよう確保する必要があるため、ユーザの通行距離と行列待ちの待ち時間を増加させる。
【００６６】
即時認識は、マルチユーザ事前認識の方式に比べて、プロセスが相対的に簡単であり、ゲートの入口でキャプチャされた単一顔を認識することを意味する。
【００６７】
図５は、即時認識場面の概略図を示す。この場面では、カメラは、カメラが現在駅に入場するユーザの単一顔のみをキャプチャするようにゲート上やゲートに隣接する位置に取り付けられて、顔情報を取得した後、顔認識を行って、駅の入場を完了する。
【００６８】
一つの具体的な実施例において、ユーザが駅に入場すると、携帯電話デバイスとゲートがブルートゥースで接続され通信を行い、システムはデバイスのブルートゥースＭａｃ情報を取得する。対応するサンプルを本駅の顔認識動的ライブラリに追加する。ユーザは、ゲートのカメラが現在ゲートを通過するユーザをキャプチャするように、ゲートの指定領域に立っている。カメラの装着位置は、多くのユーザの習慣及び角度に合うように調整され、カメラが通過するユーザの顔をキャプチャできるよう確保する。顔認識を開始し、提示装置に減感結果を表示し、ユーザジェスチャセンサを手振りによる通過が可能な状態に設置して、手振りによって通過するようユーザに提示する。当該ユーザは、手振りよって、ユーザジェスチャセンサをトリガし、ゲートが開かれ、駅に入場する。同時に、システムは、当該ユーザの出入り情報を記録し、移動距離を計算して、登録時にバインディングされた銀行カードから料金を差し引く。ユーザがゲートを通過して、ゲートから徐々に離れる過程では、ブルートゥースは、距離が離れるに従って切断され、ブルートゥースが切断されると、システムは、対応するユーザの顔情報を動的認識ライブラリから削除する。
【００６９】
この実施例によれば、ユーザがゲートに到着して初めて顔認識を行うことになるが、事前認識の方式に比べて、認識の過程では、ユーザの協力を必要とし、ユーザへの認識度が高い。利点とは、技術案の実施が簡単であり、認識の過程で、現在駅に入場するユーザが一人のみ（一つの顔のみ）であり、マルチユーザ事前認識に比べて、複数の顔の中から行列の先頭で通過を待つのがどの顔であるかを計算する必要がない。
【００７０】
したがって、本発明の技術案を地下鉄の場面に適用する場合、地下鉄の出入り効率を向上させることができ、地下鉄の駅の出入り時の混雑の問題を緩和する。また、ユーザは、交通カードを所持したり、二次元コードを予め生成したりする必要がなく、駅に入場して認識範囲に入ればよく、ゲートに到着する過程で生体特徴の認識（例えば、顔認識）を完了し、元のカード振りの動作の代わりに手振りの動作によって、システムが自動的に計算して、バインディングされた銀行カードから料金を差し引き、ユーザに「無阻害」式の駅入場サービスを提供し、地下鉄による外出体験を大きく向上させる。
【００７１】
本発明の実施例が、方法、デバイス又はコンピュータプログラム製品として提供できることは、当業者であれば理解すべきである。したがって、本発明は、ハードウェア、ソフトウェア、又はソフトウェアとハードウェアを組み合わせた形式を採用することができる。また、本発明は、コンピュータ利用可能なプログラムコードを含む1つ以上のコンピュータ利用可能な記憶媒体（磁気ディスクメモリや光メモリ等を含むがこれらに限定されない）上で実施されるコンピュータプログラム製品の形態であってもよい。
【００７２】
本発明は、本発明の実施例に係る方法、装置（プラットフォームシステム）、及びコンピュータプログラム製品のフローチャート及び／又はブロック図を参照して説明した。これらのコンピュータプログラム命令は、特定の操作を実行する命令列を生成させるように、汎用コンピュータ、専用コンピュータ、組み込みプロセッサ、またはその他の編集可能な処理装置のプロセッサに提供してもよい。
【００７３】
以上の例は、主に、地下鉄の場面での本発明の技術案の様々な実施例を説明する。本発明が、その趣旨を逸脱しない範囲内で多くの他の形態で実施することが可能であり、例えば、空港、ショッピングモール、オフィス等の異なる場面に適用できることは、当業者であれば理解すべきである。よって、記載された例と実施形態は、例示であって制限的なものではなく、特許請求の範囲で定義された本発明の精神及び範囲から逸脱しない範囲内で、様々な修正と置き換えが可能である。
【図１】
2021518017.tif 000003
【図２】
2021518017.tif 000004
【図３】
2021518017.tif 000005
【図４】
2021518017.tif 000006
【図５】
2021518017.tif 000007
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
端末の身元認識システムであって、
前記端末の予め設定された範囲内にいるユーザに対応する予め格納された生体特徴情報を取得する取得装置と、
取得された予め格納された生体特徴情報を維持する生体特徴ライブラリと、
前記ユーザの第１生体特徴情報を収集する収集装置と、
前記生体特徴ライブラリから前記第１生体特徴情報を認識し、認識結果に基づいて、前記端末の一つ又は複数の機能又は部材のオン又はオフを決定する認識装置と、
を含むことを特徴とする身元認識システム。
【請求項２】
前記取得装置は、前記端末と前記ユーザのスマートデバイスがブルートゥースで接続されている場合に、当該ユーザの予め格納された生体特徴情報を取得して前記生体特徴ライブラリに伝送するように構成されている
ことを特徴とする請求項１に記載の身元認識システム。
【請求項３】
前記生体特徴ライブラリは、前記端末と前記ユーザのスマートデバイスとの間のブルートゥース接続が切断された場合に、前記生体特徴ライブラリから前記予め格納された生体特徴情報を削除するように構成されている
ことを特徴とする請求項２に記載の身元認識システム。
【請求項４】
前記取得装置は、
前記ユーザのスマートデバイスの緯度と経度の情報に基づいて、前記ユーザが前記端末の予め設定された範囲内にいるかを判断し、
前記予め格納された生体特徴情報を取得して、前記生物特徴ライブラリに伝送するように構成されている
ことを特徴とする請求項１に記載の身元認識システム。
【請求項５】
前記収集装置は、前記ユーザの顔画像を収集する一又は複数のカメラである
ことを特徴とする請求項１に記載の身元認識システム。
【請求項６】
前記収集装置は、前記ユーザの指上の静脈生体特徴画像を収集する静脈採取器である
ことを特徴とする請求項１に記載の身元認識システム。
【請求項７】
前記ユーザが前記端末を通過しようとすると判断する判断装置
をさらに含むことを特徴とする請求項１に記載の身元認識システム。
【請求項８】
前記判断装置は、前記ユーザのジェスチャに基づいてユーザが前記端末を通過しようとすると判断するジェスチャセンサである
ことを特徴とする請求項７に記載の身元認識システム。
【請求項９】
前記認識装置は、前記生体特徴ライブラリから前記第１生体特徴情報を認識した結果に基づいて、前記判断装置のオン又はオフを決定するように構成されている
ことを特徴とする請求項７又は８に記載の身元認識システム。
【請求項１０】
前記生体特徴ライブラリから前記第１生体特徴情報が認識された場合、認識されたユーザの減感情報を提示する認識結果提示装置
をさらに含むことを特徴とする請求項１に記載の身元認識システム。
【請求項１１】
端末の身元認識方法であって、
前記端末の予め設定された範囲内にいるユーザに対応する予め格納された生体特徴情報を取得するステップと、
取得された予め格納された生体特徴情報を維持して、生体特徴集合を形成するステップと、
前記ユーザの第１生体特徴情報を収集するステップと、
前記生体特徴集合から前記第１生体特徴情報を認識するステップと、
認識結果に基づいて、前記端末の一つ又は複数の機能又は部材のオン又はオフを決定するステップと、
を含むことを特徴とする身元認識方法。
【請求項１２】
前記取得ステップは、
前記端末と前記ユーザのスマートデバイスがブルートゥースで接続されている場合に、当該ユーザの予め格納された生体特徴情報を取得するステップ
を含むことを特徴とする請求項１１に記載の身元認識方法。
【請求項１３】
前記維持ステップは、
前記端末と前記ユーザのスマートデバイスがブルートゥースで接続されている場合に、取得された予め格納された生体特徴情報を前記生体特徴集合に追加するステップと、
前記端末と前記ユーザのスマートデバイスとの間のブルートゥース接続が切断された場合に、前記生体特徴集合から前記予め格納された生体特徴情報を削除するステップと、
を含むことを特徴とする請求項１１に記載の身元認識方法。
【請求項１４】
前記取得ステップは、
前記ユーザのスマートデバイスの緯度と経度の情報に基づいて、前記ユーザが前記端末の予め設定された範囲内にいるかを判定判断するステップと、
前記予め格納された生体特徴情報を取得するステップと、
を含むことを特徴とする請求項１１に記載の身元認識方法。
【請求項１５】
前記収集ステップは、
一つ又は複数のカメラによって、前記ユーザの顔画像を収集するステップ
を含むことを特徴とする請求項１１に記載の身元認識方法。
【請求項１６】
前記収集ステップは、
静脈採取器によって、前記ユーザの指上の静脈生体特徴画像を収集するステップ
を含むことを特徴とする請求項１１に記載の身元認識方法。
【請求項１７】
前記ユーザが前記端末を通過しようとすると判断するステップ
をさらに含むことを特徴とする請求項１１に記載の身元認識方法。
【請求項１８】
前記判断ステップは、
ジェスチャセンサによって、前記ユーザのジェスチャに基づいてユーザが前記端末を通過しようとすると判断するステップ
を含むことを特徴とする請求項１７に記載の身元認識方法。
【請求項１９】
認識結果に基づいて、前記端末の一つ又は複数の機能又は部材のオン又はオフを決定するステップは、
前記生体特徴集合から前記第１生体特徴情報を認識した結果に基づいて、前記判断ステップを実行するか否かを決定するステップ
を含むことを特徴とする請求項１７又は１８に記載の身元認識方法。
【請求項２０】
前記生体特徴集合から前記第１生体特徴情報が認識された場合、認識されたユーザの減感情報を提示するステップ
をさらに含むことを特徴とする請求項１１に記載の身元認識方法。
【請求項２１】
請求項１乃至１０のいずれか一項に記載の身元認識システム
を含むことを特徴とする端末。
【請求項２２】
動作時に請求項１１乃至２０のいずれか一項に記載の身元認識方法を実行する命令
を含むことを特徴とするコンピュータ記憶媒体。
【国際調査報告】
2021518017.tif 000008
2021518017.tif 000009
2021518017.tif 000010
2021518017.tif 000011